(57)【特許請求の範囲】
【請求項１】
ガラスバルブ内に放電ガスを封入した無電極放電灯と、前記無電極放電灯に高周波電力を供給する高周波電源回路と、前記高周波電源回路を内包する筐体と、前記無電極放電灯の外部に巻回されるとともに前記高周波電源回路に接続され前記無電極放電灯に高周波電磁界を発生させる誘導コイルと、前記誘導コイルと略平行に配設され環状をなす複数の導電性部材によって構成されたシールドケージとからなる無電極放電灯点灯装置において、前記誘導コイルの巻回軸を含む平面において前記無電極放電灯表面の輝度最大点を通り前記筐体に接する線分と前記筐体の外郭と前記無電極放電灯の外周とによって囲まれた領域に第１の導電性部材が配設されており、前記筐体の前記無電極放電灯の取り付け部と前記誘導コイルの巻回面との距離は、前記筐体の前記線分との接点と前記誘導コイルの巻回面との距離より短いことを特徴とする無電極放電灯点灯装置。
【請求項２】
ガラスバルブ内に放電ガスを封入した無電極放電灯と、前記無電極放電灯に高周波電力を供給する高周波電源回路と、前記高周波電源回路を内包する筐体と、前記無電極放電灯の外部に巻回されるとともに前記高周波電源回路に接続され前記無電極放電灯に高周波電磁界を発生させるため前記無電極放電灯の外周に巻回された誘導コイルと、前記誘導コイルと略平行に配設され環状をなす複数の導電性部材によって構成されたシールドケージとからなる無電極放電灯点灯装置において、前記誘導コイルの巻回軸を含む平面において前記誘導コイルの前記筐体から遠い側の巻回部を通り前記筐体に接する線分と前記筐体の外郭と前記無電極放電灯の外周とによって囲まれた領域に第１の導電性部材が配設されており、前記筐体の前記無電極放電灯の取り付け部と前記誘導コイルの巻回面との距離は、前記筐体の前記線分との接点と前記誘導コイルの巻回面との距離より短いことを特徴とする無電極放電灯点灯装置。
【請求項３】
前記筐体との距離が前記無電極放電灯の表面の最大輝度点と前記筐体との距離に略等しくなるよう第２の導電性部材が配設されたことを特徴とする請求項１または２に記載の無電極放電灯点灯装置。
【請求項４】
ガラスバルブ内に放電ガスを封入した無電極放電灯と、前記無電極放電灯に高周波電力を供給する高周波電源回路と、前記高周波電源回路を内包する筐体と、前記無電極放電灯の外部に巻回されるとともに前記高周波電源回路に接続され前記無電極放電灯に高周波電磁界を発生させる誘導コイルと、前記誘導コイルと略平行に配設され環状をなす複数の導電性部材によって構成されたシールドケージとからなる無電極放電灯点灯装置において、前記誘導コイルの巻回軸を含む平面において前記無電極放電灯表面の輝度最大点を通り前記筐体に接する線分と前記筐体の外郭と前記無電極放電灯の外周とによって囲まれた領域に第１の導電性部材が配設されており、前記筐体の前記無電極放電灯の取り付け部と前記誘導コイルの巻回面との距離は、前記筐体の前記線分との接点と前記誘導コイルの巻回面との距離より短く、前記筐体との距離が前記無電極放電灯の表面の最大輝度点と前記筐体との距離に略等しくなるよう第２の導電性部材が配設され、第１の導電性部材と第２の前記導電性部材との間に他の導電性部材は存在しないことを特徴とする無電極放電灯点灯装置。
【請求項５】
ガラスバルブ内に放電ガスを封入した無電極放電灯と、前記無電極放電灯に高周波電力を供給する高周波電源回路と、前記高周波電源回路を内包する筐体と、前記無電極放電灯の外部に巻回されるとともに前記高周波電源回路に接続され前記無電極放電灯に高周波電磁界を発生させるため前記無電極放電灯の外周に巻回された誘導コイルと、前記誘導コイルと略平行に配設され環状をなす複数の導電性部材によって構成されたシールドケージとからなる無電極放電灯点灯装置において、前記誘導コイルの巻回軸を含む平面において前記誘導コイルの前記筐体から遠い側の巻回部を通り前記筐体に接する線分と前記筐体の外郭と前記無電極放電灯の外周とによって囲まれた領域に第１の導電性部材が配設されており、前記筐体の前記無電極放電灯の取り付け部と前記誘導コイルの巻回面との距離は、前記筐体の前記線分との接点と前記誘導コイルの巻回面との距離より短く、前記筐体との距離が前記無電極放電灯の表面の最大輝度点と前記筐体との距離に略等しくなるよう第２の導電性部材が配設され、第１の導電性部材と第２の前記導電性部材との間に他の導電性部材は存在しないことを特徴とする無電極放電灯点灯装置。
【請求項６】
前記筐体は略円筒形であり、その中心軸は前記誘導コイルの巻回軸と略同一であることを特徴とする請求項１〜５のいずれかに記載の無電極放電灯点灯装置。
【請求項７】
前記誘導コイルの巻回径は前記無電極放電灯の最大径より小さく、かつ、前記誘導コイルは前記無電極放電灯の最大径部と前記筐体との間に配設されたことを特徴とする請求項１〜６のいずれかに記載の無電極放電灯点灯装置。
【発明の詳細な説明】
【０００１】
【発明の属する技術分野】
本発明は、無電極放電灯点灯装置に関するものであり、特にシールドケージの影の映り込みを低減する技術に関するものである。
【０００２】
【従来の技術】
従来の無電極放電灯点灯装置（特開平９−６９３０５号）の構成を図１１に示す。ガラスバルブ内に放電ガスを封入した無電極放電灯１と、前記無電極放電灯に高周波電力を供給する高周波電源回路２と、前記無電極放電灯に面する平面部を有し前記高周波電源回路を内包する筐体３と、前記高周波電源回路に接続され前記無電極放電灯に高周波電磁界を発生させる誘導コイル４と、前記誘導コイル４と略平行に配設され環状をなす複数の導電性部材によって構成されたシールドケージ６とからなる。
【０００３】
この従来例においては、誘導コイル４とシールドケージ６の間の最短距離ｄが、誘導コイル４の巻回部直径φとの関係において、一定の値以上になるように規定している。例えば、ｄ≧φ／２の関係が成り立つようにしている。
【０００４】
【発明が解決しようとする課題】
前述のような無電極放電灯点灯装置を器具内に設置する際、光を発する無電極放電灯１と器具との間にシールドケージ６があるために、シールドケージ６の影が器具から光を取り出す部位に映り込んでしまう。シールドケージ６と器具の光を取り出す部位との間隔を広げることにより、この影を目立ちにくくすることは可能であるが、この手法を用いると器具のサイズが大型化してしまう。前記従来例においては、誘導コイル４とシールドケージ６との間隔ｄが決められ、また、シールドケージ６の寸法と筐体３の外郭寸法は略等しい寸法となっている。
【０００５】
上述したように、従来例のような形状では、筐体の外郭寸法を小型に設計したにもかかわらず、シールドケージ近傍の光学的制約によって器具全体の寸法が大型化してしまうことになる。
【０００６】
【課題を解決するための手段】
このような課題を克服するために、本発明においては、小型化した器具内にシールドケージ６を有する無電極放電灯点灯装置を設置した際にも、器具の光取り出し部へのシールドケージ６の影の映り込みが少なくなる構造を提案するものである。無電極放電灯１で発せられた光はシールドケージ６を通り、無電極放電灯点灯装置の外部に放射される。このため、無電極放電灯１と、シールドケージ６と、無電極放電灯点灯装置の筐体の位置関係によって、シールドケージ６の影を無電極放電灯点灯装置の外部へ投影されないようにすることができる。
【０００７】
シールドケージ６は、図１に示すように、誘導コイル４と略平行に配設され環状をなす複数の導電性部材５ａ，…によって構成されている。この導電性部材５ａ，…は、誘導コイル４の巻回軸Ｌ１を含む平面において無電極放電灯表面の輝度最大点７を通り筐体３に接する線分Ｌ２と筐体３の無電極放電灯１に面する平面部と誘導コイル４の巻回軸Ｌ１とによって形成される領域に配設されている。もしくは、誘導コイル４の巻回軸Ｌ１を含む平面において誘導コイル４を通り筐体３に接する線分と筐体３の無電極放電灯１に面する平面部と誘導コイル４の巻回軸Ｌ１とによって形成される領域に配設されている。また、図５に示すように、筐体３の無電極放電灯１の取り付け部と誘導コイル４の巻回面との距離Ａは、筐体３の前記線分Ｌ２との接点と誘導コイル４の巻回面との距離Ｂより短いことを特徴とする。さらに、導電性部材と筐体３との距離が無電極放電灯１の表面の最大輝度点７と筐体３との距離に略等しくなるよう導電性部材が配設される。
【０００８】
このように導電性部材を配設することにより、小型化した器具内にシールドケージを有する無電極放電灯点灯装置を設置した際にも、器具の光取り出し部へのシールドケージの影の映り込みが少ない無電極放電灯点灯装置を得ることができる。
【０００９】
【発明の実施の形態】
図１は本発明の第１の実施の形態の無電極放電灯点灯装置の側面図であり、図２はそのランプコイル巻回軸Ｌ１を含む平面での断面図である。ガラスバルブ内に放電ガスを封入した無電極放電灯１と、前記無電極放電灯に高周波電力を供給する高周波電源回路２と、前記高周波電源回路を内包する筐体３と、前記無電極放電灯１の外部に巻回されるとともに前記高周波電源回路に接続され前記無電極放電灯に高周波電磁界を発生させる誘導コイル４と、前記誘導コイルと略平行に配設され環状をなす複数の導電性部材５ａ，…によって構成されたシールドケージ６とからなる無電極放電灯点灯装置であり、前記誘導コイル４の巻回軸Ｌ１を含む平面において前記無電極放電灯表面の輝度最大点７を通り前記筐体３に接する線分Ｌ２と前記筐体３の外郭と前記無電極放電灯１の外周とによって囲まれた領域に前記導電性部材５ａが配設されている。
【００１０】
このため、輝度最大点７から発せられた光が、誘導コイル４と略平行に配設され環状をなす導電性部材５ａにあたり影を形成しても、その影は筐体３に投影され、無電極放電灯点灯回路を内包する器具の光取り出し部には影を映し出さないので、影を弱めるために器具を大型化する必要がなくなり、筐体３のサイズにあった器具の小型化が可能となる。
【００１１】
図３は本発明の第２の実施の形態の無電極放電灯点灯装置の断面図である。ガラスバルブ内に放電ガスを封入した無電極放電灯１と、無電極放電灯に高周波電力を供給する高周波電源回路２と、高周波電源回路を内包する筐体３と、無電極放電灯１の外部に巻回されるとともに高周波電源回路に接続され無電極放電灯に高周波電磁界を発生させるため無電極放電灯１の外周に巻回された誘導コイル４と、誘導コイル４と略平行に配設され環状をなす複数の導電性部材５ｂ，…によって構成されたシールドケージ６とからなる無電極放電灯点灯装置であり、誘導コイル４の巻回軸Ｌ１を含む平面において前記誘導コイル４の筐体３から遠い側の巻回部を通り前記筐体３に接する線分Ｌ４と前記筐体３の外郭と前記無電極放電灯１の外周とによって囲まれた領域に前記導電性部材５ｂが配設されている。
【００１２】
このため、前記無電極放電灯１の前記誘導コイルの巻回部４付近から強く発せられる光による導電性部材５ｂの影は筐体３に投影され、無電極放電灯点灯回路を内包する器具の光取り出し部には影を映し出さないので、影を弱めるために器具を大型化する必要がなくなり、筐体３のサイズにあった器具の小型化が可能となる。
【００１３】
図４は本発明の第３の実施の形態の無電極放電灯点灯装置の断面図である。ガラスバルブ内に放電ガスを封入した無電極放電灯１と、前記無電極放電灯に高周波電力を供給する高周波電源回路２と、前記高周波電源回路を内包する筐体３と、前記無電極放電灯１の外部に巻回されるとともに前記高周波電源回路に接続され前記無電極放電灯に高周波電磁界を発生させる誘導コイル４と、前記誘導コイルと略平行に配設され環状をなす複数の導電性部材５ａ，５ｃ，…によって構成されたシールドケージ６とからなる無電極放電灯点灯装置であり、前記誘導コイル４の巻回軸Ｌ１を含む平面において前記無電極放電灯表面の輝度最大点７を通り前記筐体３に接する線分Ｌ２と前記筐体３の外郭と前記無電極放電灯１の外周とによって囲まれた領域に前記導電性部材５ａが配設されているとともに、前記筐体３との距離が前記無電極放電灯１の表面の最大輝度点７と前記筐体３との距離に略等しくなるよう前記導電性部材５ｃが配設されている。
【００１４】
このような構成とすれば、無電極放電灯１の輝度最大点７付近の輝度の高い部分は、導電性部材５ｃの作る平面の両面に存在することになる。これにより、無電極放電灯１の輝度最大点７から発せられた光による導電性部材５ｃの影が前記平面の両面から回り込む光によって弱められ、無電極放電灯点灯回路を内包する器具の光取り出し部に映し出される影は、薄くすることができる。
【００１５】
図５は本発明の第４の実施の形態の無電極放電灯点灯装置の断面図である。ガラスバルブ内に放電ガスを封入した無電極放電灯１と、無電極放電灯に高周波電力を供給する高周波電源回路２と、高周波電源回路を内包する筐体３と、無電極放電灯１の外部に巻回されるとともに高周波電源回路に接続され無電極放電灯に高周波電磁界を発生させるため無電極放電灯１の外周に巻回された誘導コイル４と、誘導コイル４と略平行に配設され環状をなす複数の導電性部材５ａ，…によって構成されたシールドケージ６とからなる無電極放電灯点灯装置であり、誘導コイル４の巻回軸Ｌ１を含む平面において前記無電極放電灯表面の輝度最大点７あるいは前記誘導コイル４を通り前記筐体３に接する線分Ｌ２と前記筐体３の外郭と前記無電極放電灯１の外周とによって囲まれた領域に前記導電性部材５ａが配設されているとともに、筐体３の前記無電極放電灯１取り付け部と器具３から最も遠い誘導コイル４の巻回面との距離Ａは、筐体３の線分Ｌ２との接点と前記誘導コイル４の巻回面との距離Ｂより短い構成となっている。このため、無電極放電灯１から発せられた光のうち、筐体３側に発せられた光も効率よく器具外に導くことができ、器具の光取り出し効率が向上する。
【００１６】
図６は本発明の第５の実施の形態の無電極放電灯点灯装置の断面図である。ガラスバルブ内に放電ガスを封入した無電極放電灯１と、前記無電極放電灯に高周波電力を供給する高周波電源回路２と、前記高周波電源回路を内包する筐体３と、前記無電極放電灯１の外部に巻回されるとともに前記高周波電源回路に接続され前記無電極放電灯に高周波電磁界を発生させる誘導コイル４と、前記誘導コイルと略平行に配設され環状をなす複数の導電性部材５ａ，５ｃ，…によって構成されたシールドケージ６とからなる無電極放電灯点灯装置であり、前記誘導コイル４の巻回軸Ｌ１を含む平面において前記無電極放電灯表面の輝度最大点７を通り前記筐体３に接する線分Ｌ２と前記筐体３の外郭と前記無電極放電灯１の外周とによって囲まれた領域に前記導電性部材５ａが配設されているとともに、前記導電性部材５ａと前記導電性部材５ｃとの間に他の導電性部材５は存在しない構成となっている。このように、無電極放電灯点灯装置の外に影を映し出すような位置に導電性部材を置かないことにより、器具の光取り出し効率が向上する。
【００１７】
図７は本発明の第６の実施の形態の無電極放電灯点灯装置の断面図である。ガラスバルブ内に放電ガスを封入した無電極放電灯１と、無電極放電灯に高周波電力を供給する高周波電源回路２と、高周波電源回路を内包する筐体３と、無電極放電灯１の外部に巻回されるとともに高周波電源回路に接続され無電極放電灯に高周波電磁界を発生させるため無電極放電灯１の外周に巻回された誘導コイル４と、誘導コイル４と略平行に配設され環状をなす複数の導電性部材５ａ，５ｃ，…によって構成されたシールドケージ６とからなる無電極放電灯点灯装置であり、誘導コイル４の巻回軸Ｌ１を含む平面において前記誘導コイル４を通り前記筐体３に接する線分Ｌ２と前記筐体３の外郭と前記無電極放電灯１の外周とによって囲まれた領域に前記導電性部材５ａが配設されているとともに、前記導電性部材５ａと他の導電部材５ｃの半径ｒは略等しい構成となっている。このため、器具の光取り出し部の構造を、導電性部材５ａ，５ｃの半径に合わせた円筒状で構成することができ、作成が容易で小型化可能な器具を得ることができる。
【００１８】
図８は本発明の第７の実施の形態の無電極放電灯点灯装置の断面図であり、図９はその上面図である。ガラスバルブ内に放電ガスを封入した無電極放電灯１と、前記無電極放電灯に高周波電力を供給する高周波電源回路２と、前記高周波電源回路を内包する筐体３と、前記無電極放電灯１の外部に巻回されるとともに前記高周波電源回路に接続され前記無電極放電灯に高周波電磁界を発生させる誘導コイル４と、前記誘導コイルと略平行に配設され環状をなす複数の導電性部材５ａ，…によって構成されたシールドケージ６とからなる無電極放電灯点灯装置であり、前記誘導コイル４の巻回軸Ｌ１を含む平面において前記無電極放電灯表面の輝度最大点７を通り前記筐体３に接する線分Ｌ２と前記筐体３の外郭と前記無電極放電灯１の外周とによって囲まれた領域に前記導電性部材５ａが配設されているとともに、前記筐体３は略円筒形であり、その中心軸は前記誘導コイルの巻回軸Ｌ１と略同一である構成となっている。
【００１９】
このため、無電極放電灯表面の輝度最大点７を通り前記筐体３に接する線分Ｌ２の筐体との接点を誘導コイル４の巻回軸Ｌ１を中心軸に１周回させてできる形状に器具を設計できるため、導電性部材５ａの影を外部に漏らすことのない無電極放電灯点灯装置を最も小型の筐体３で得ることができる。
【００２０】
図１０は本発明の第８の実施の形態の無電極放電灯点灯装置の断面図である。ガラスバルブ内に放電ガスを封入した無電極放電灯１と、無電極放電灯に高周波電力を供給する高周波電源回路２と、高周波電源回路を内包する筐体３と、無電極放電灯１の外部に巻回されるとともに高周波電源回路に接続され無電極放電灯に高周波電磁界を発生させる誘導コイル４と、誘導コイルと略平行に配設され環状をなす複数の導電性部材５ａ，…によって構成されたシールドケージ６とからなる無電極放電灯点灯装置であり、誘導コイル４の巻回軸Ｌ１を含む平面において無電極放電灯表面の輝度最大点７を通り筐体３に接する線分Ｌ２と筐体３の外郭と無電極放電灯１の外周とによって囲まれた領域に導電性部材５ａが配設されているとともに、誘導コイル４の巻回径ｒ２は無電極放電灯１の最大径ｒ１より小さく、かつ、誘導コイル４は無電極放電灯１の最大径部と筐体３との間に配設されている。このため、誘導コイル４と導電性部材５ａとの距離を大きくとることができ、誘導コイル４と導電性部材５ａのトランス結合による損失を小さくすることができるとともに、無電極放電灯１の輝度最大点７は誘導コイル４より外側になるので、無電極放電灯１から発せられた光のうち、筐体３側に発せられた光も効率よく器具外に導くことができ、器具の光取り出し効率が向上する。
【００２１】
【発明の効果】
本発明により、小型化した器具内にシールドケージを有する無電極放電灯点灯装置を設置した際にも、器具の光取り出し部へのシールドケージの影の映り込みが少ない無電極放電灯点灯装置を得ることができる。
【図面の簡単な説明】
【図１】本発明の第１の実施の形態の側面図である。
【図２】本発明の第１の実施の形態の断面図である。
【図３】本発明の第２の実施の形態の断面図である。
【図４】本発明の第３の実施の形態の断面図である。
【図５】本発明の第４の実施の形態の断面図である。
【図６】本発明の第５の実施の形態の断面図である。
【図７】本発明の第６の実施の形態の断面図である。
【図８】本発明の第７の実施の形態の断面図である。
【図９】本発明の第７の実施の形態の上面図である。
【図１０】本発明の第８の実施の形態の断面図である。
【図１１】従来の無電極放電灯点灯装置の側面図である。
【符号の説明】
１    無電極放電灯
２    高周波電源回路
３    筐体
４    誘導コイル
５    導電性部材
６    シールドケージ
７    輝度最大点
【図１】
0003846212.tif 000002
【図２】
0003846212.tif 000003
【図３】
0003846212.tif 000004
【図４】
0003846212.tif 000005
【図５】
0003846212.tif 000006
【図６】
0003846212.tif 000007
【図７】
0003846212.tif 000008
【図８】
0003846212.tif 000009
【図９】
0003846212.tif 000010
【図１０】
0003846212.tif 000011
【図１１】
0003846212.tif 000012